(57)【要約】【課題】簡易な構造で膣の奥まで照明（光）を届かせることができ、且つ、衛生的な取り扱いが容易となる哺乳動物用膣鏡を提供すること。【解決手段】組み付けたとき、貫通覗き孔３０を構成する携帯照明器２８と透明管体３４とからなる。そして、携帯照明器２８は、環状発光部２６を貫通覗き孔３０の外周部に備えている。透明管体３４は、元部端に環状発光部２６に対応する端面形状を有する。透明管体３４は、環状発光部２６に元部端が対面して位置するように着脱可能に組み付け可能である。そして、透明管体３４を携帯照明器２８に組み付けた状態で、透明管体３４を哺乳類の膣に挿入し、環状発光部２６からの光を透明管体３４の先端に届かせた状態で、貫通覗き孔３０を介して膣内観察を行う。【選択図】  図４
2008295787.tif 000002
【特許請求の範囲】
【請求項１】
貫通覗き孔を有し、該貫通覗き孔の外周部に環状発光部が配されている携帯照明器と、前記環状発光部に対応する端面形状を元部端に有する透明管体とを備え、
該透明管体は、前記環状発光部に元部端が対面して位置するように、前記携帯照明器に着脱可能に組み付け可能とされていることを特徴とする哺乳動物用膣鏡。
【請求項２】
前記透明管体を前記携帯照明器に組み付けた状態で、前記携帯照明器の貫通覗き孔と前記透明管体とが直線状となることを特徴とする請求項１記載の哺乳動物用膣鏡。
【請求項３】
前記透明管体の先端側が斜切されていることを特徴とする請求項１又は２記載の哺乳動物用膣鏡。
【請求項４】
前記透明管体が透明高分子材料で形成されていることを特徴とする請求項１、２又は３記載の哺乳動物用膣鏡。
【請求項５】
前記携帯照明器の上面側に前記貫通覗き孔に連続する第一スリットを備えるとともに、前記透明管体が、該透明管体を前記携帯照明器に装着したとき前記第一スリットと連通直列する第二スリットを備えていることを特徴とする請求項１〜４いずれか一記載の哺乳動物用膣鏡。
【請求項６】
請求項１〜５いずれか一記載の哺乳動物用膣鏡の使用方法であって、
前記透明管体を複数本用意しておき、前記膣鏡を使用後、前記透明管体を取り外し消毒槽に保管して、前記透明管体を交互に使用することを特徴とする哺乳動物用膣鏡の使用方法。
【請求項７】
請求項２〜５いずれか一記載の哺乳動物用膣鏡の使用方法であって、前記貫通覗き孔を介して、膣内乃至子宮頚部への経膣剤投与、膣内乃至子宮外口の組織・粘液採取又は人工授精を行うことを特徴とする哺乳動物用膣鏡の使用方法。
【請求項８】
前記経膣剤投与を、ばね弾性を有する螺旋状の製剤を透明管体に保持して、膣内に挿入後、膣内所定位置又は子宮頚部に留置することを特徴とする請求項７記載の哺乳動物用膣鏡の使用方法。
【請求項９】
前記製剤の前記透明管体への保持を袋保持体を介して行い、該袋保持体は、前記製剤を保持して前記透明管体内に挿入可能な径に縮径可能な袋部と、該袋部の閉じ部から延びる延長紐とを備えていることを特徴とする請求項８記載の哺乳動物用膣鏡の使用方法。
【請求項１０】
前記透明管体の内部を摺動可能な筒状体又は円板状押出部と棒状操作部とからなる押出部材を更に備えて、経膣剤投与装置とされていることを特徴とする請求項２、３又は４記載の哺乳動物用膣鏡。
【請求項１１】
前記透明管体が、相対的にスライド可能な一対の分割可能な半割り体で形成され、該半割り体の一方が、前記携帯照明器側からの操作によりスライド可能に前記携帯照明器に組み付け保持とされて、経膣剤投与装置とされていることを特徴とする請求項２、３又は４記載の哺乳動物用膣鏡。
【請求項１２】
前記透明管体が、前記携帯照明器側からの操作により回転可能に前記携帯照明器に組み付け保持されて経膣剤投与装置とされていることを特徴とする請求項２、３又は４記載の哺乳動物用膣鏡。
【発明の詳細な説明】
【技術分野】
【０００１】
本発明は、牛等の家畜（哺乳動物）の膣内の状態を観察するのに使用する新規な哺乳動物用膣鏡及び該膣鏡を応用した経膣剤投与装置に関する。
【０００２】
ここでは、家畜として、主として牛を例に採り説明するが、他の家畜（哺乳動物）でも同様である。
【背景技術】
【０００３】
（Ａ）牛膣鏡は、例えば、発情の鑑定、妊娠診断、膣・子宮外口部疾患、等を目視観察するために用いられている。
【０００４】
図１に哺乳動物用膣鏡の従来の一例である牛膣鏡の斜視図を示す。該牛膣鏡１２は、鞘状の左右分割体１４、１６が、元部で相互に回動可能にピン１８結合されている。該ピン１８の位置から所定距離おいたところに、拡開ねじ２０が取り付けられ、左右分割体１４、１６がピン１８を軸として扇形に開き可能とされている。拡開ねじ２０には、操作ハンドル２２が取り付けられている。なお、牛膣鏡１２は、通常、全体がステンレス製であった。
【０００５】
そして、当該膣鏡の使用態様は、下記の如くであった。
【０００６】
牛膣に左右分割体１４、１６のピン１８結合側のアーム部１４ａ、１６ａに連結された膣挿入部１４ｂ、１６ｂを合わせ状態で挿入後、操作ハンドル２２を使用して膣挿入部１４ｂ、１６ｂを拡径し、膣内観察を行っていた。この際、膣粘膜の詳細な状態を把握するために、検査者の頭につけたヘッドライト乃至反射鏡で観察部位を照らしながら行う。
【０００７】
しかし、当該方法では、牛膣の奥の方、特に、子宮外口部までは光が届き難く、観察に支障を来たした。このため、膣を相当量拡開する必要があった。
【０００８】
また、複数頭の牛を同時に行う必要があるが、前述の如く、分割体１４、１６であり、元部にピン１８結合されるとともに拡開手段（拡開ねじ２０及び操作ハンドル２２）を備えているため、消毒作業が面倒であった。このため、検査により、生殖器感染症の伝播のおそれがあった。
【０００９】
なお、近年、牛の受精卵移植技術が畜産現場で、牛の改良・増殖技術として普及してきている。この際、人工授精と比較して、高価な胚（受精卵）を移植するため、受胚牛の選別が重要となる。
【００１０】
この受胚牛の選別の手段として、直腸内に手を差し込んで黄体検査を触診行う方法が一般的であった。しかし、当該方法は熟練を要し複数人で確認することができず、検査バラツキが発生し易く、また、牛の完全な保定も必要である。このため、超音波診断による黄体検査や黄体ホルモンの検査に移行しつつある。しかし、これらの検査方法は、装置が高価であったり、検査結果が出るのに相当な時間（例えば、４５〜６０日）がかかったりした。
【００１１】
これに代わる手段として、子宮外口部の目視観察により卵巣状態（排卵時期、発情期）を判定して従来方法を用いて受胚牛を選別することが考えられる。しかし、前述の如く、子宮外口部は膣の一番奥側に位置し、照明（光）が届きにくく、正確な判定をし難いため、実用化されていない。
【００１２】
なお、特許庁電子図書館公報テキスト検索により、検査項目「要約＋請求の範囲」、論理式「膣鏡AND(哺乳類OR動物)AND(照明OR光)」 でキーワード検索したところ、本発明に関連する特許文献は1件もヒットしなかった（検索日：平成19年3月29日）。
【００１３】
（Ｂ）他方、近年のグルメ時代の到来により、良質な牛肉の需要が増大してきている。この需要に応えるために、良好な肉質が得られる肉牛を効率よく繁殖させる必要がある。
【００１４】
当該繁殖管理の方法として、ホルモン製剤（黄体ホルモン製剤や発情ホルモン製剤）やプロスタグランジン（発情同期化剤）製剤等の卵巣に作用する製剤を牛に投与し、発情同期化や排卵同期させることが行われている。そして、投与方法は、従来、筋肉内注射ないし静脈内注射であった。しかし、昨今は、ホルモン投与の持続的な効果が得られる、ホルモン製剤やプロスタグランジン製剤を、膣内に挿入して留置投与することが行われるようになってきた。
【００１５】
そして、これらの卵巣に作用する製剤は、卵巣により近い子宮外口部更にはその内側にある子宮頚部に留置させることが、解剖学的に少量の薬剤で効果が期待でき製剤の留置安定性にも優れる。
【００１６】
このため、子宮外口乃至子宮頚部への適確な製剤の留置投与が求められる。
【００１７】
これに応えるための経膣剤投与装置として、例えば、「プリッド（登録商標）テイゾーアプリケータ」の商品名で上市されている、図２（Ａ）に示すようなものがある。
【００１８】
当該装置１１２は、ピストル型のハンドル部１１４と、棒状の製剤保持挿入部１１６と、該製剤保持挿入部１１６を、ハンドル部１１４に一方向にのみ回転可能に保持する中間連結筒部１１８とを備えている。
【００１９】
ハンドル部１１４には、手持ち部１２０、引き金１２２及び安全ロック１２４を備えている。また、製剤保持挿入部１１６は、元部に引き金２２でばね力に抗して後退可能なリングストッパ１２６、その近傍前側に装着される丸型フック１２８、先端部に卵形頭部１３０を備え、その手前に鉤型フック１３２を備えている。
【００２０】
そして、上記経膣剤投与装置の使用態様は、下記の如くである。
【００２１】
まず、図２（Ｂ）に示すような螺旋状の製剤１３４を用意する。該製剤は、螺旋状とされたばね薄板に薬剤を含有させたゴム層を被覆させたものであり、先部と元部に止孔１３４ａ、１３４ｂを備え、元部止孔１３４ａには製剤取り出し用紐１３６が取り付けられている。
【００２２】
１）経膣製剤投与装置（アプリケータ）１１２の手持ち部１２０を持ち、安全ロック１２４を外すとともに、引き金１２２を引く（図３（１））。すると、リングストッパ１２６が後退位置にくる。
【００２３】
２）製剤１３４の元部止孔１３４ａを丸型フック１２８に掛け止して引き金１２２を戻す。すると、リングストッパ１２６がばね力で戻り（前進）して製剤１３４の後端部がリングストッパ１２６の止めアーム１２６ａに挟まれる。
【００２４】
３）製剤保持挿入部１１６の卵形頭部１３０を回しながら、二つの金属製フック（丸型フック１２８と鉤型フック１３２）が一直線なるようにした状態で、製剤１３４を巻き回して先端部止め孔１３４ｂを鉤型フック１３２に引っ掛ける。
【００２５】
４）親指でリングストッパ１２６の止アーム１２６ａを押えながら、製剤保持挿入部１１６の卵形頭部１３０を回して、製剤１３４を強く巻き付ける（図３（２））。そのあと、安全ロック１２４を掛けて、ストッパリング１２６が後退不能とする。
【００２６】
５）適宜、製剤１３４よび卵形頭部１３０に潤滑剤を塗布後、牛の外陰部を消毒した後、アプリケータの製剤保持挿入部２６を静かに牛の外陰部から膣に所定深さまで挿入する。通常、子宮口部をトーピード頭部で拡開させる位置まで挿入する。この状態で、安全ロック１２４を外すとともに引き金を引く（図３（３））。すると、リングストッパ１２６が後退して製剤後端の止めアーム１２６ａによる押さえが解除され、製剤１３４がばね弾性により戻り拡径して、丸型フック１２８及び鉤型フック１３２との引っかかりが解除される。こうして、製剤が子宮頚部に落下して留置される。その後、製剤保持挿入部をゆっくり引き出す。
【００２７】
しかし、当該経膣剤投与装置は、構造が複雑であり、位置確認は手探り状態であるため、適確な位置に製剤を留置できるとは言いがたかった。
【００２８】
なお、本発明の特許性に影響を与えるものではないが、関連先行技術文献として、特許文献１・２等が存在する。
【特許文献１】特表２００４−５２２５２８号公報
【特許文献２】特表２００４−５１０４２３号公報
【発明の開示】
【発明が解決しようとする課題】
【００２９】
本発明は、上記にかんがみて、簡易な構造で膣の奥まで照明（光）を届かせることができ、且つ、衛生的な取り扱いが容易となる哺乳動物用膣鏡を提供することを目的とする。
【００３０】
本発明の他の目的は、本発明の哺乳動物用膣鏡を応用した、製剤を適確な位置（例えば、子宮頚部）に留置可能な新規な構成の経膣製剤投与装置として使用可能な哺乳動物用膣鏡を提供することにある。
【課題を解決するための手段】
【００３１】
本発明の哺乳動物用膣鏡は、上記課題（目的）を、下記構成により解決するものである。
【００３２】
（Ａ）貫通覗き孔を有し、該貫通覗き孔の外周部に環状発光部が配されている携帯照明器と、前記環状発光部に対応する端面形状を元部端に有する透明管体とを備え、
該透明管体は、前記環状発光部に元部端が対面して位置するように、前記携帯照明器に着脱可能に組み付け可能とされていることを特徴とする。
【００３３】
上記膣鏡は、携帯照明器をオンとして、膣内検体部位（例えば、子宮外口部）まで、被検牛の膣内に挿入した状態で、携帯照明器の貫通覗き孔を介して、膣内を覗く。このとき、透明管体の先端から、環状発光部からの光が、透明管体を介して膣内検体部位に到達している。
【００３４】
このため、膣内検体部位の目視観察が容易となる。したがって、被検体牛の卵巣状態の判定が容易となるとともに、無理に膣を拡開する必要がない。
【００３５】
また、貫通覗き孔を覗きながら膣内に挿入する場合は、膣内の各部位の病変の観察も可能となる。さらには、貫通覗き孔側から透明管体内にワイヤ付き鉗子乃至長シリンダタイプ注射器（図９参照）等を挿入すれば、膣内乃至子宮外口部の組織乃至粘液の膣内所定部位の採取及び人工授精も容易となる。
【００３６】
他方、透明管体は、携帯照明器に対して、着脱可能とすることにより、透明管体を複数本用意しておき、消毒液槽に浸漬しておくことができる（図６参照）。目視観察検査や組織・粘液採取、さらには、人工授精作業等を行うに際して、消毒液槽に浸漬した透明管体を、交互に繰り返し使用すれば、被検牛相互の感染症の伝播も防止できる。
【００３７】
（Ｂ）哺乳動物用膣鏡は、照明器の覗き孔を直線状とするとともに、下記各態様にすることにより経膣剤投与装置として使用可能である。
【００３８】
１）透明管体の内部を摺動可能な筒状体又は円板状押出部と棒状操作部とからなる押出部材を、更に備えて、経膣剤投与装置とされていることを特徴とする。
【００３９】
２）透明管体が、相対的にスライド可能な一対の分割可能な半割り体で形成され、該半割り体の一方が、前記携帯照明器側からの操作によりスライド可能に前記携帯照明器に組み付け保持とされて、経膣剤投与装置とされていることを特徴とする。
【００４０】
３）透明管体が、前記携帯照明器側からの操作により回転可能に前記携帯照明器に組み付け保持されて経膣剤投与装置とされていることを特徴とする。
【００４１】
そして、本発明の哺乳動物用膣鏡は、経膣剤投与装置として使用して、製剤を膣内所定位置又は子宮頚部に留置するに際して、環状発光部からの光が透明管体を介して膣内を照らす。このため、製剤の透明管体内での保持位置及び製剤の留置位置を、携帯照明器の貫通空洞（覗き孔）を介して、視認しながら製剤を留置できる。したがって、製剤を膣内所定位置乃至子宮頚部に適確に留置できる。
【００４２】
前述の如く、消毒液槽に浸漬した透明管体を、交互に繰り返し使用すれば、被検牛相互の感染症の伝播も防止できる。
【発明を実施するための最良の形態】
【００４３】
（Ａ）以下、本発明の望ましい形態の哺乳動物用膣鏡を、図４〜６に基づいて、説明する。
【００４４】
本実施形態の哺乳動物用膣鏡１２Ａは、環状発光部２６を備えた携帯照明器２８と、該携帯照明器２８に着脱可能に取り付けられる透明管体３４とからなる。
【００４５】
携帯照明器２８は、本実施形態では、貫通覗き孔３０を備えた照明器ケース３２と、照明器ケース３２の覗き孔３０の外周部に配されている環状発光部２６、及び、該環状発光部２６を構成する発光体２６ａをオン・オフするスイッチ機構とを備えている。なお、発光体２６ａとしては、ミニランプ、発光ダイオード、蓄光体等任意であり、それらを併用することもできる。照明器ケース３２は、ＡＢＳ樹脂、ＡＳ樹脂、ＡＡＳ樹脂、ポリエステル、尿素樹脂等の硬質プラスチック（熱可塑性・熱硬化性）で成形される。
【００４６】
照明器ケース３２は、図例では、筒状体部３８から下方に延びる取っ手部４０とからなる。筒状体部３８は前面側内周が拡径部３８ａとされ、拡径段部３８ｂには、環状発光部２６が埋め込まれて、直線状の貫通覗き孔３０とされている。
【００４７】
本実施形態では、貫通覗き孔３０は直線状であるが、場合によっては、反射鏡を環状発光部２６の軸線上に配して、透明管体３４側からの像を屈曲させて照明器ケース３２の上側から覗ける屈曲構成としてもよい。
【００４８】
他方、取っ手部４０には、環状発光部２６の各発光体２６ａに接続されるスイッチ及び電源を備えた回路（図示せず）が内蔵されている。ここで、電源は通常、携帯性の見地から電池（直流電源）４２とするが、配給電源である交流電源を、アダプターを介して供給するようにしてもよい。なお、４４はスイッチ操作ボタンである。
【００４９】
ここで、拡径部３８ａの内径は、例えば、標準的な和牛（肉牛）の場合（以下寸法仕様も同様である。）、３０〜４５ｍｍとする。環状発光部２６の環状幅は、透明管体３４の肉厚に略対応させ、通常、２〜６ｍｍとする。拡径段部の深さは、透明管体３４の元部を保持可能なものとする。例えば、拡径段部の内径が前述の３０〜４５ｍｍの場合、拡径段部の深さは、同様に３０〜４５ｍｍとする。
【００５０】
また、透明管体３４は、無機ガラス製でもよいが、膣の傷つき防止の見地から、透明高分子材料で形成する。透明高分子材料としては、光透過率８０％以上（望ましくは８５％以上）、屈折率（ASTM D 542）1.45以上(望ましくは1.48以上、）のものなら特に限定されない。例えば、硬質系では、アクリル系樹脂（メタクリル樹脂を含む。）、ポリカーボネート樹脂、ナイロン６６、ポリアセタール樹脂、硬質ポリ塩化ビニル、ポリプロピレン樹脂、ＡＳ樹脂等を挙げることができる。ちなみに、メタクリル樹脂の屈折率：1.49、光透過率：90％であり、曲げ弾性率（ASTM D 790）:2891〜3185ＭＰａである。
【００５１】
軟質系としては、エチレン酢ビニル樹脂（ＥＶＡ）、スチレン系エラストマー（ＳＢＳ、ＳＥＳ）等を挙げることができる。例えば、ＥＶＡの中には屈折率：1.47、光透過率：80％
を示すものがあり、ＥＶＡの曲げ弾性率：6.9〜11.2である。
【００５２】
軟質系のものを使用する場合は、撓み性と剛直性とのバランスから材料弾性率及び肉厚を適宜選定する。透明高分子材料は、屈折率が高い方が、光伝播性が良好である。外側更には内側を本体半透明で滑り性の良好な例えば、フッ素樹脂等で被覆してもよい。光伝播性の向上が期待できる。
【００５３】
透明管体３４は、通常、膣への挿入作業性の見地から、先端を斜切しておく。外陰部を拡径しながら挿入する必要があるためである。このとき、斜切角度αは、軸線に対して、通常、１５〜４５°の範囲から、望ましくは２０〜４０°の範囲から、形成材料の弾性率（剛性）に対応させて適宜選定する。
【００５４】
また、透明管体３４の外径は、通常、拡径段部の内径に対応させる。すなわち、例えば、３０〜４５ｍｍとなる。また、透明管体３４の長さは、携帯照明器２８に装着したときの突出長が、膣内長さより若干長いものとする。例えば、標準的な和牛の場合、２５０〜３００ｍｍとする。このときの透明管体３４の肉厚は、１．５〜６ｍｍの範囲から、採用材質に応じて適宜選定する。
【００５５】
そして、透明管体３４と携帯照明器２８の着脱の態様は、特に限定されず、慣用手段を採用可能である。本実施形態では、筒状体部３８の拡径段部における環状発光部２６の前面に透明管体３４の元部が嵌合して、該嵌合の固定は螺子（ビス）４６固定を採用した。なお、嵌合部の内周所定部位にばね的に出没可能な複数のボールを配するとともに、透明管体３４の元部に対応する係合溝を形成したワンタッチ着脱手段を採用してもよい。
【００５６】
必然的ではないが、本実施形態では、携帯照明器２８の筒状体部３８の上面、及び、透明管体３４の上面に、連通直列可能な第一スリット３８ｃ及び第二スリット３４ｃを形成してある。ワイヤ付き鉗子等を透明管体３４に挿入する際の作業性の見地からである。該第一・第二スリット幅は、透明管体３４が寸法の場合、１〜２ｍｍの範囲から適宜選定する。
【００５７】
更に、透明管体３４を左右分割体として、該透明管体３４を照明器の筒状体部３８の上面を拡開可能（従来例の拡径螺子等を用いて）とすることもできる。この場合は、透明管体３４の元部を照明器の筒状体部の内面両側に固定して、膣内に挿入後、筒状体部３８を拡径すれば、膣内が拡径でき、膣内乃至子宮外口部観察が、より容易となる。
【００５８】
なお、上記透明管体３４として、径及び／又は長さの異なる複数種の透明管体３４を用意することもできる。この場合は、筒状体の透明管体３４挿入部を、割り円断面として、拡径・縮径可能としたり、筒状体の拡径段部に装着可能なアダプターを用意したりする。
【００５９】
次に、上記実施形態の膣鏡の使用態様を、膣内観察をする場合を例に採り説明する。
【００６０】
通常、複数本（例えば、３〜５本）の透明管体３４を消毒液槽４８に浸漬しておく。そして、膣鏡使用直前に、透明管体３４を照明器に取り付ける。このとき、透明管体３４の外周部には、通常、膣用潤滑剤を塗布しておく。なお、検査間隔が開く場合や、一頭のみを検査するような場合は、透明管体３４は１個でもよい。
【００６１】
そして、牛の外陰部を消毒した後、照明器２８のスイッチをオンとする。こうして、環状発光部２６を発光状態として、照明器２８の覗き孔３０を介して覗きながら、膣内に膣挿入部である透明管体３４を挿入する。膣内検体部位（例えば、子宮外口部）まで、被検牛の膣内に挿入した状態で、覗き孔３０を介して、膣内を覗く。このとき、透明管体３４の先端から、環状発光部２６からの光が、透明管体３４を介して膣内検体部位に到達している。このため、膣内検体部位を容易に目視観察ができる。
【００６２】
そして、使用後の透明管体３４は、消毒液槽４８に浸漬して保管する。
【００６３】
なお、本実施形態では、透明管体３４を筒状体部３８の拡径部に嵌合させたとき、環状発光部２６の発光体２６ａが、透明管体３４の端面（光受け面）に完全に対応するようになっている。透明管体３４の端面は、前記発光体２６ａの外周面側や内周面側に、光伝播が可能な範囲でシフト可能である。
【００６４】
（Ｂ）次に、上記膣鏡を、前述の螺旋状の薬剤の製剤を、子宮外口部（子宮頚部）に留置する場合の経膣剤投与装置として使用する場合を例に採り図７〜８に基づいて説明する。
【００６５】
まず、製剤１３４を袋部５２ａで包んで紐５２ｂで縛り、透明管体３４に挿入可能な径に縮径可能な紐付ネット５２を用意する。該紐付ネット５２の紐５２ｂの先端には、マグネット（磁石）又はクリップ等の仮止め部材５４が取り付られている。
【００６６】
そして、予め、膣挿入部となる透明管体３４の外周部は、膣用潤滑剤を塗布しておく。透明管体３４の内部を摺動可能な図例の筒状体又は円板状押出部と棒状操作部とからなる押出部材（図例では筒状体）５６を用意しておく。
【００６７】
製剤１３４を紐付きネット（袋保持体）５２の袋部（ネット）５２ａで包み、上面に第二スリット３４ｃが形成された透明管体３４の端部側から挿入した後、クリップ（仮止め部材）５４を照明器ケースの適宜箇所に仮止めする。この状態で、環状発光部２６（発光体２６ａ）を発光させて、照明器２８の覗き孔３０を介して覗きながら製剤投与対象牛の子宮外口部に透明管体３４の先端が到達するまで挿入する。そして、仮止め部材５４による仮止めを解除して、透明管体３４内に押出部材５６を挿入しながら、透明管体３４の先端で子宮外口部を拡開する。すると、製剤は膣頚部に落下して留置される。
【００６８】
なお、袋部５２ａはネットに限らず、留置後袋部から薬剤成分が滲出可能なら、袋体でもよい。さらには、袋部５２ａは、ポリエステル系の生分解性繊維で構成することもできる。
【００６９】
本実施形態では、押出部材５６で落下させたが、下記のような構成とすることも可能である。
【００７０】
透明管体３４Ａを、相対的にスライド可能な一対の分割可能な半割り体３５、３６で形成し、該半割り体の一方を、前記携帯照明器側からの操作によりスライド可能に前記携帯照明器２８に組み付け保持する。（図８参照）。なお、図例中５８は、分割体保持リングであり、３５ａは、製剤を紐付ネット５２に入れてネットを閉じ、透明管体３４Ａの先端側にセットした後、透明管体を膣への挿入作業中に戻らないようにしたストッパ突部である。、この場合は、透明管体３４Ａの先端が、膣内所定位置に到達したとき、紐付ネット５２の先端の仮止め部材の照明器への仮止めを解除して（図示せず）、分割体３５、３６の一方をスライドさせれば、膣内乃至子宮頚部の所定位置に留置落下させることができる。
【００７１】
また、図示しないが、先端が斜切された透明管体を、携帯照明器側からの操作により回転可能に前記携帯照明器に組み付け保持する。この場合は、斜切して長い側を下側として、製剤を載せておき、仮止めを解除して、反転させれば、膣内乃至子宮頚部の所定位置に留置落下させることができる。
【産業上の利用可能性】
【００７２】
本発明に係る哺乳類用膣鏡は、貫通覗き孔側から透明管体内にワイヤ付き鉗子や長シリンダ注射器５０（図９参照）等を挿入すれば、膣内乃至子宮外口部の組織乃至粘液の膣内所定部位の採取及び人工授精にも使用できる。
【図面の簡単な説明】
【００７３】
【図１】従来における哺乳類用膣鏡の一例を示す斜視図である。
【図２】螺旋状製剤を投与するのに使用する経膣剤投与装置（Ａ）および螺旋状製剤（Ｂ）を示す斜視図である。
【図３】図２の経膣剤投与装置における使用態様説明工程図である。
【図４】本発明の哺乳類用膣鏡の一例を示す概略断面図である。
【図５】同じく透明管体を外した状態の５−５線矢視図である。
【図６】本実施形態の膣鏡の透明管体の保管態様の一例を示す斜視図である。
【図７】図４に示す膣鏡を経膣剤投与装置として使用する場合に使用する製剤を保持した紐付ネットの説明用斜視図（Ａ）及び該紐付ネットを使用しての製剤投与態様を示す説明用斜視図（Ｂ）である。
【図８】本発明の膣鏡を経膣剤投与装置として使用する場合の透明管体の別の態様を示す説明用斜視図である。
【図９】本実施形態の膣鏡を使用して薬剤注入乃至粘液採取を行うのに好適な注射／吸引器を示す正面図である。
【符号の説明】
【００７４】
１２Ａ    膣鏡
２６    環状発光部
２８    携帯照明器
３０    （貫通）覗き孔
３４    透明管体
３８    筒状体部
【図１】
2008295787.tif 000003
【図２】
2008295787.tif 000004
【図３】
2008295787.tif 000005
【図４】
2008295787.tif 000006
【図５】
2008295787.tif 000007
【図６】
2008295787.tif 000008
【図７】
2008295787.tif 000009
【図８】
2008295787.tif 000010
【図９】
2008295787.tif 000011